(57)【要約】【課題】光学的に読み取り可能な符号パターンの形成を隙間形成部材以外によって行う場合と比較して、より良好な画像の視認性が得られるようにすることを目的とする。【解決手段】電子ペーパー１０が、透光可能な表面基板１２と表面基板１２に対向する背面基板１４との隙間に位置し、電界の印加により画像を表示する表示層１６と、表面基板１２と背面基板１４との隙間を形成する複数のリブ２２と、を備えると共に、複数のリブ２２が予め定められた情報を符号化した光学的に読み取り可能な符号パターンを形成することで、光学的に読み取り可能な符号パターンの形成をリブ２２以外によって行う場合と比較して、より良好な画像の視認性が得られる【選択図】図１
2010102079.tif 000002
【特許請求の範囲】
【請求項１】
透光可能な表面基板と前記表面基板に対向する背面基板との隙間に位置し、電界又は磁界の印加により、画像を表示する又は画像を表示可能にする表示層と、
前記表面基板と前記背面基板との隙間を形成する複数の隙間形成部材と、を有し、
前記複数の隙間形成部材は予め定められた情報を符号化した光学的に読み取り可能な符号パターンを形成する表示装置。
【請求項２】
前記隙間形成部材の赤外線の吸収率が前記表示層よりも高い請求項１に記載の表示装置。
【請求項３】
前記隙間形成部材は、有機系の色素材料、又は無機系の重金属材料を含有する請求項３又は請求項２に記載の表示装置。
【請求項４】
前記背面基板の前記表示層側に赤外線を反射する赤外線反射層を設ける請求項１〜請求項３の何れか１項に記載の表示装置。
【請求項５】
予め定められた情報が表示装置の表示面上の位置を特定する位置情報及び表示装置の個体を識別する個体識別情報を含む請求項１〜４の何れか１項に記載の表示装置と
前記表示装置の前記個体識別情報と前記表示装置に表示されている画像の画像情報とが関連付けて保管される保管手段と、
前記符号パターンを光学的に読み取り、前記個体識別情報及び画像を追加する領域の位置情報を取得する情報取得手段と、
前記情報取得手段から取得した前記個体識別情報及び前記位置情報に追加画像の画像情報を関連付ける画像付加手段と、
前記画像付加手段から取得した前記個体識別情報に関連付けられた前記追加画像の位置情報に基づき前記画像の画像情報と前記追加画像の画像情報を関連付けて前記保管手段に保管する情報処理手段と、
を有する情報処理システム。
【請求項６】
前記画像付加手段は、前記追加画像を生成する画像生成手段を備え、
前記情報処理手段は、前記画像の画像情報と前記追加画像の画像情報とを合成して前記保管手段に保管する請求項５に記載の情報処理システム。
【請求項７】
前記表示層に電界又は磁界を印加し、前記表示装置に表示されている前記画像を、前記保管手段に保管されている画像情報に基づいた画像に書き換える画像書換え手段を有する請求項５又は請求項６に記載の情報処理システム。
【発明の詳細な説明】
【技術分野】
【０００１】
本発明は、表示装置、及びこの表示装置を用いた情報処理システムに関する。
【背景技術】
【０００２】
ＩＣカードやクレジットカード等の情報記録媒体に磁気層を設けて磁気情報を付与することが知られている。
【０００３】
エンボスや光学マーク等の光学的に読取り可能なパターンを用いて、情報記録媒体へ特有の情報を付与する方法が知られている（例えば、特許文献１、２）。
【０００４】
これらの光学的に読み取り可能なパターンの読取りとしては、これらのパターンに赤外線（又は紫外線）を照射し、照射光の反射率または透過率に基づいてパターンを認識して情報記録媒体の特徴的な情報を読み取っている。詳細には、光学マークを示す領域と、この領域以外の領域との反射率または透過率の差や、エンボスによる凹部と凸部との間の反射率または透過率の差に基づいて、パターンを認識することにより特徴的な情報を読み取っている。
【０００５】
ボードに備わる光学的に読み取り可能な位置符号化パターンをペンに内蔵されたカメラで撮影してペンの位置を特定することが知られている（例えば、特許文献３）。
【特許文献１】特開平０７−１６６４９８号公報
【特許文献２】特開平０８−１２０５９８号公報
【特許文献３】特表２００３−５０８８３１号公報
【発明の開示】
【発明が解決しようとする課題】
【０００６】
本発明は、光学的に読み取り可能な符号パターンの形成を隙間形成部材以外によって行う場合と比較して、より良好な画像の視認性が得られるようにすることを目的とする。
【課題を解決するための手段】
【０００７】
本発明の請求項１に記載の表示装置は、透光可能な表面基板と前記表面基板に対向する背面基板との隙間に位置し、電界又は磁界の印加により、画像を表示する又は画像を表示可能にする表示層と、前記表面基板と前記背面基板との隙間を形成する複数の隙間形成部材と、を有し、前記複数の隙間形成部材は予め定められた情報を符号化した光学的に読み取り可能な符号パターンを形成する。
【０００８】
本発明の請求項２に記載の表示装置は、前記隙間形成部材の赤外線の吸収率が前記表示層よりも高い。
【０００９】
本発明の請求項３に記載の表示装置は、前記隙間形成部材は、有機系の色素材料、又は無機系の重金属材料を含有する。
【００１０】
本発明の請求項４に記載の表示装置は、前記背面基板の前記表示層側に赤外線を反射する赤外線反射層を設ける。
【００１１】
本発明の請求項５に記載の情報処理システムは、予め定められた情報が表示装置の表示面上の位置を特定する位置情報及び表示装置の個体を識別する個体識別情報を含む請求項１〜４の何れか１項に記載の表示装置と、前記表示装置の前記個体識別情報と前記表示装置に表示されている画像の画像情報とが関連付けて保管される保管手段と、前記符号パターンを光学的に読み取り、前記個体識別情報及び画像を追加する領域の位置情報を取得する情報取得手段と、前記情報取得手段から取得した前記個体識別情報及び前記位置情報に追加画像の画像情報を関連付ける画像付加手段と、前記画像付加手段から取得した前記個体識別情報に関連付けられた前記追加画像の位置情報に基づき前記画像の画像情報と前記追加画像の画像情報を関連付けて前記保管手段に保管する情報処理手段と、を有する。
【００１２】
本発明の請求項６に記載の情報処理システムは、前記画像付加手段は、前記追加画像を生成する画像生成手段を備え、前記情報処理手段は、前記画像の画像情報と前記追加画像の画像情報とを合成して前記保管手段に保管する。
【００１３】
本発明の請求項７に記載の情報処理システムは、前記表示層に電界又は磁界を印加し、前記表示装置に表示されている前記画像を、前記保管手段に保管されている画像情報に基づいた画像に書き換える画像書換え手段を有する。
【発明の効果】
【００１４】
請求項１の発明は、本構成を有していない場合と比較して、光学的に読み取り可能な符号パターンの形成を隙間形成部材以外によって行ったものと比較して、より良好な画像の視認性を得ることができる。
【００１５】
請求項２の発明は、隙間形成部材の赤外線吸収率が表示層の赤外線吸収率以下であるものと比較して、符号パターンと符号パターン以外の部分との赤外線の反射率又は透過率の差を大きくできる。
【００１６】
請求項３の発明は、隙間形成部材が有機系の色素材料も無機系の重金属材料も含有しないものと比較して、符号パターンと符号パターン以外の部分との赤外線の反射率の差を大きくできる。
【００１７】
請求項４の発明は、反射層を設けないものと比較して、符号パターンと符号パターン以外の部分との赤外線吸収率の差を大きくできる。
【００１８】
請求項５の発明は、表示装置に表示されている画像の画像情報に位置情報に基づいて追加画像の画像情報を関連付けて保管することができる。
【００１９】
請求項６の発明は、生成した追加画像の画像情報と画像の画像情報とを合成して保管手段に保管することができる。
【００２０】
請求項７の発明は、表示装置に表示されている画像を保管手段に保管された画像情報に基づいた画像に書き換えることができる。
【発明を実施するための最良の形態】
【００２１】
（第１実施形態）
本発明の表示装置の一実施形態を図面に基づき説明する。
図１に示すように、電子ペーパー１０（表示装置の一例）は、透明な表面基板１２と、表面基板１２に対向するように設けられた背面基板１４と、表面基板１２と背面基板１４との隙間に位置し、電界の印加によって画像を表示する表示層１６と、を備えている。そして、表面基板１２の表示層１６側の面には第１電極膜１８が形成され、背面基板１４の表示層１６側の面には第２電極膜２０が形成されている。なお、本実施形態の電子ペーパー１０は正面から見て略矩形状となっている（図６参照）。しかし、本発明はこの構成に限定されず、電子ペーパー１０は、正面から見て略多角形状や円形状（楕円含む）であってもよい。
【００２２】
また、表面基板１２及び背面基板１４としては、例えば樹脂フィルムにそれぞれ第１電極膜１８及び第２電極膜２０を形成したものを用いるとよい。樹脂フィルムとしては、例えば、ポリエチレンテレフタレート、ポリスルホン、ポリエーテルスルホン、ポリカーボネート、ポリエチレンナフタレート等の高分子フィルムを用いて構成されたものが好適である。
【００２３】
第１電極膜１８及び第２電極膜２０は、例えばＩＴＯ（Ｉｎｄｉｕｍ  Ｔｉｎ  Ｏｘｉｄｅ）を用いて形成したものを用いるとよい。なお、ＩＴＯ以外にも、Ａｕなどの金属薄膜、ＳｎＯ２、ＺｎＯなどの酸化物、ポリピロールなどの導電性高分子の薄膜など、透光性の導電膜で形成したものを用いてもよい。また、第１電極膜１８及び第２電極膜２０は、例えばスパッタリングで表面基板１２及び背面基板１４の各片面（表示層１６側の面）に形成し、必要に応じてフォトリソグラフィー等によってパターニングを行ったものを用いてもよい。なお、印刷、ＣＶＤ、蒸着などにより第１電極膜１８及び第２電極膜２０を形成してもよい。
【００２４】
表面基板１２と背面基板１４との間には、表示層１６が配置される隙間を形成するリブ２２（隙間形成部材の一例）が複数設けられている。このリブ２２は、表面基板１２の表面の画像表示領域１２Ａ（表示面、図６参照）内における位置情報を示す光学的に読み取り可能な多数の符号パターン（詳細は後述する）を形成するように配置されている。なお、本実施形態ではリブ２２の形状を四角柱としている。
【００２５】
また、リブ２２は、表示層１６よりも赤外線（７００ｎｍ〜１８００ｎｍの波長領域の電磁波）の吸収率が高くなっている。このため、電子ペーパー１０は、リブ２２を設置した設置領域Ａ１（符号パターン）と非設置領域Ａ２（符号パターン以外の部分）とで赤外線を照射した際の光の反射率（反射光の強度）や透過率（透過光の強度）に差が生じ、これらの光の強度の差でリブ２２の配置による符号パターンが光学的に認識される。
【００２６】
リブ２２を構成する材料としては、電気絶縁性、可撓性、形成容易性などの観点から樹脂が好適である。この樹脂としては、感光性樹脂（例えば、エポキシアクリレート、ウレタンアクリレート、など）、熱硬化性樹脂（例えば、エポキシ樹脂、キシレン樹脂など）、熱可塑性樹脂（アクリル樹脂など）等が挙げられる。また、リブ２２を構成する材料には、赤外線吸収率を上げるために、有機系の色素材料、又は無機系の重金属材料を分散して混入させることが好ましい。
【００２７】
有機系の色素材料としては、シアニン系色素、ナフトキノン系色素、フタロシアニン系色素、アントラキノン系色素、ジオール系色素、トリフェニルメタン系色素等が挙げられる。これらは可視領域にも吸収があるため、赤みがかったクリーム色を呈している。
【００２８】
これらの有機系の色素材料の具体例としては、ｎ−ブトキシ置換ナフタロシアニン、ｎ−ブトキシ置換バナジルナフタロシアニン、ｎ−ブトキシ置換銅ナフタロシアニン、ｎ−ブトキシ置換ニッケルナフタロシアニン、フェニル置換バナジルナフタロシアニンｉ−ブトキシ・ニトロ置換銅ナフタロシアニン、ｔ−ブチル置換バナジルナフタロシアニンなどが挙げられる。
【００２９】
また、無機系の重金属材料としては、例えば、少なくともＮｄ（ネオジム），Ｙｂ（イッテルビウム），Ｉｎ（インジウム），Ｓｎ（スズ），Ｚｎ（亜鉛）を含有した化合物を用いるとよい。特に、これら金属及びこれらの酸化物、硫化物、ハロゲン化物などの化合物が好ましい。これら化合物は白色、または淡い青色であり、不可視の材料として優れている。
【００３０】
これらの化合粒の具体的な例としては、酸化イッテルビウム、酸化錫、酸化亜鉛、硫化イッテルビウム、硫化亜鉛、塩化イッテルビウム、塩化インジウム、重化錫、塩化亜鉛、臭化イッテルビウム、臭化インジウム、インジウム−錫混合酸化物、またはインジウム−錫混合酸化物とアルミナ、酸化バリウム、酸化珪素、炭酸カルシウムから選ばれる１種と混合物などが挙げられる。
【００３１】
また、Ｙｂ、Ｉｎ、Ｓｎ、Ｚｎのいずれか１つ以上を含み、これらと酸と塩も有効な材料である。これらの具体的な例としては、硫酸イッテルビウム、硫酸亜鉛、硫酸インジウム、硝酸イッテルビウム、酢酸亜鉛、酢酸錫、ニコチン酸イッテルビウム、リン酸イッテルビウム、リン酸亜鉛、リン酸錫、シュウ酸イッテルビウム、シュウ酸亜鉛、シュウ酸錫等が挙げられる。
【００３２】
なお、リブ２２を構成する材料に分散して混入させる材料としては、赤外線吸収率を上げることができれば、これらに限定されず、いかなるものも用いてもよい。
【００３３】
リブ２２の高さは、０．１〜１００μｍの範囲内とすることが好ましく、更に１〜２０μｍの範囲内とすることが好ましく、特に、３〜８μｍの範囲内とすることが好ましい。
【００３４】
また、リブ２２は、背面基板１４の表示層１６側の面にタイミング方法、レーザ加工方法、ドライエッチング方法、インプリント方法等を用いて形成するとよい。なお、リブ２２の材料として感光性の有機材料を用いる場合、感光感度領域を紫外線領域とすることが好ましい。
【００３５】
また、背面基板１４の表示層１６との間、具体的には、第２電極膜２０よりも表示層１６側には赤外線を反射する赤外線反射層２４が設けられている。赤外線反射層２４を設けることで、照射した赤外線（図１では矢印Ｒ）の反射光（図１では矢印Ｒ’）の強度（反射率）が上昇する。ここで、リブ２２の非設置領域Ａ２における赤外線の反射光の強度が、リブ２２の設置領域Ａ１における赤外線の反射光の強度の１．５〜１０００倍となるように、リブ２２の赤外線吸収率を調整することが好ましい。なお、電子ペーパー１０の赤外線の反射光の強度の差が１０倍未満の場合には、設置領域Ａ１及び非設置領域Ａ２における反射光の強度の差が小さく符号パターンを読み取り難くなる。また、赤外線の反射光の強度の差が１００倍を超えると反射光の回り込みがノイズとなって解像度が低下する。
【００３６】
また、赤外線反射層２４としては、例えば、ＴｉＯ２とＳｉＯ２との積層膜や、ＳｉＮとＳｉＯ２との積層膜等を用いるとよい。この赤外線反射層２４の厚みは、０．１μｍ以上２０μｍ未満の範囲内であることが好ましく、１μｍ以上１５μｍ以下の範囲内であることが更に好ましく、４μｍ以上７μｍ以下の範囲内であることが特に好ましい。また、この赤外線反射層２４の形成方法としては、スパッタリング法、ＣＶＤ法等を用いるとよい。
【００３７】
なお、本実施の形態では、電子ペーパー１０に赤外線反射層２４を設ける構成としたが、本発明はこの構成に限定される必要はなく、赤外線反射層２４を設けない構成であってもよい。
【００３８】
表示層１６としては、電界の印加により各種画像を表示する機能層であればよく、例えば、電気泳動方式により各種画像を表示する機能層を用いるとよい。具体的には、表示層１６を電気泳動方式により各種画像を表示する構成とする場合には、表示層１６を電気泳動粒子の分散された分散媒からなる電気泳動層とし、電界によりこれらの電極層間を移動する電気泳動粒子を用いた一般的な電気泳動層の構成とすればよい。このような構成の電子ペーパー１０によれば、第１電極膜１８及び第２電極膜２０に電界を印加して電気泳動層内の電気泳動粒子を移動させることで、表示層１６に各種画像が表示される。
【００３９】
また、表示層１６としては、電界の印加により光学的特性の分布が生じて各種画像を表示可能にする機能層を用いてもよい。例えば、表示層１６を液晶層とし、この液晶層を、電界によって入射光のうち特定の色光の反射・透過状態を変調すると共に変調された状態が無電界で保持される性質を有する構成とすればよい。このような構成とした場合には、第１電極膜１８及び第２電極膜２０の所定の領域間に電圧を印加することによって、液晶層の任意の領域に印加された電圧に応じた光学的特性分布が生じる。
【００４０】
表示層１６として電界の印加により光学的特性の分布が生じて各種画像を表示可能にする機能層を用いる場合、表示装置（電子ペーパー１０）に光学的特性の分布による画像を表示する機能層を設けたり、光学的特性の分布による画像を表示する機能層を備える眼鏡を使用者に着用させて用いたりするのが好適である。電圧の印加により光学的特性の分布が生じる機能層として液晶を用いる場合、光学的特性の分布による画像を表示する機能層としては、例えば、偏光板を用いるとよい。
【００４１】
次にリブ２２の配置によって形成される符号パターンについて説明する。図２には、画像表示領域１２Ａ内の一領域である領域Ｂが示されている。この領域Ｂにはリブ２２が９つ配置されて一つの符号パターンが形成されている。また、領域Ｂには、仮想的な格子Ｋが設定されており、各リブ２２は、格子Ｋの各交差点Ｐから外れて配置されている。具体的には、各リブ２２の中心軸２２Ａが格子Ｋの各交差点Ｐから外れて配置されている。この符号パターンでは、リブ２２の中心軸２２Ａを格子Ｋで分割される４つの領域の何れか１つに配置することで、一つのリブ２２につき４種類のパターンを表現するようになっている（図５（Ａ）〜（Ｄ）参照）。換言すれば、一つのリブ２２に付き２ビットが表現されるようになっている。例えば、画像表示領域１２ＡをＸＹ座標等の二次元座標系で表した場合には、符号パターンはＸ座標値とＹ座標値とを表している。また、この符号パターンには電子ペーパー１０の個体識別情報も含まれている。なお、本実施形態では一例として９つのリブ２２で符号パターンを形成する構成としているが、本発明はこの構成に限定される必要はなく、必要とされる情報量に応じて、符号パターンを形成するリブ２２の数を増減させてもよい。また、本実施形態では、格子Ｋで分割される４つの領域の何れか１つにリブ２２の中心軸２２Ａを配置する構成としたが、本発明はこの構成に限定される必要はなく、例えば、格子Ｋの線上にリブ２２の中心軸２２Ａを配置してリブ２２の中心軸２２Ａが交差点Ｐの上下左右の何れに配置されているかで４種類のパターンを表現してもよい。なお、格子Ｋは、９つのリブ２２の相対的な距離の平均値によって導出される。
【００４２】
図６に示すように、電子ペーパー１０には、後述する画像書換装置８８と接続するためのコネクタ２８が設けられている。このコネクタ２８を介して画像書換装置８８から表示層１６へ電界が印加されて、表示層１６が表示している画像が書き換えられる。なお、表示層１６に画像が表示されていない場合は、画像書換装置８８によって画像が書き込まれる。また、画像書換装置８８は、電子ペーパー１０に表示されている画像を消去する機能も備える。
【００４３】
次に、本発明の情報処理システムの一実施形態について図６に従って説明する。
この情報処理システムは、前述した電子ペーパー１０と、電子ペーパー１０の個体識別情報（図６では個体識別情報を個体識別情報Ｅで示す）と電子ペーパー１０に表示されている画像（図６では符号Ｍで示される画像）の画像情報（図６では符号Ｍ’）とが関連付けて保管されるデータベース８４と、電子ペーパー１０の符号パターンを光学的に読み取り個体識別情報及び後述する追加画像Ｎを追加する領域（本実施形態では図２の領域Ｂ）の位置情報（図６では位置情報を位置情報Ｆで示す）を取得し、取得した個体識別情報及び位置情報に追加する画像（図６では符号Ｎで示される画像）の画像情報（図６では符号Ｎ’）を関連付けて後述する情報処理装置８６に送信する携帯電話５０と、携帯電話５０から送信された個体識別情報に関連付けられた追加画像Ｎの位置情報に基づき画像Ｍの画像情報と追加画像Ｎの画像情報とを合成してデータベース８４に保管する情報処理装置８６と、情報処理装置８６からの指示を受けて電子ペーパー１０に表示されている画像Ｍをデータベース８４に保管されている合成した画像情報（図６では符号Ｌ’）に基づいた画像（合成画像Ｌ）に書き換える画像書換装置８８と、を備えている。
【００４４】
携帯電話５０は、画像を表示するディスプレイ５４と、文字入力をするキーボード５６（画像生成手段の一例）と、電子ペーパー１０の符号パターンを光学的に読み取るための光学センサ５２と、マイクロプロセッサ５７とを備えている。このマイクロプロセッサ５７は、光学センサ５２、ディスプレイ５４、及びキーボード５６に夫々接続されている。
【００４５】
光学センサ５２は、電子ペーパー１０の表面基板１２に光を照射する光源５８（本実施形態では赤外線を照射）と、表面基板１２の表面を撮像する撮像部６０とで構成されている（図１参照）。光源５８はＬＥＤ等の発光素子で構成されている。また、撮像部６０は、ＣＣＤなどの撮像素子６０Ａと、レンズを含む撮像光学系６０Ｂとで構成されている。例えば、光源５８として赤外ＬＥＤを用いる場合には、撮像素子６０Ａとして赤外領域に感度を有するＣＭＯＳセンサ、ＣＣＤセンサ等の撮像素子を使用する。
【００４６】
光学センサ５２は、これらの構成により、光学センサ５２を向けた画像表示領域１２Ａ内を、予め設定された撮像範囲（領域Ｂ）内で所定時間毎に撮像して、撮像範囲にある符号パターンを光学的に読み取るようになっている。
【００４７】
また、携帯電話５０は、情報を記憶する不揮発性のメモリ６２を備えており、このメモリには、光学センサ５２で読み取った符号パターンをマイクロプロセッサ５７で復号し、復号した識別情報及び位置情報が記憶されるようになっている。
【００４８】
キーボード５６は、ディスプレイ５４を見ながら文字情報を生成する入力部であり、この生成された文字（図６では「ＡＢＣ」の追加画像Ｎ）の画像情報は、マイクロプロセッサ５７により復号された個体識別情報及び位置情報に関連付けられてメモリ６２に記憶される。
【００４９】
また、携帯電話５０は赤外線送信部６４を備えている。この赤外線送信部６４は、サーバー８０に設けられた赤外線受信部８２を介して復号した個体識別情報及び位置情報をサーバー８０に送信するようになっている。これらの情報の送信の際には、個体識別情報及び位置情報に関連付けられた追加画像Ｎの画像情報も送信される。なお、本実施形態では、赤外線を用いて携帯電話５０とサーバー８０とを通信させる構成としたが、本発明はこの構成に限定される必要はなく、携帯電話５０とサーバー８０との通信は、携帯電話５０とサーバー８０とをケーブル等で接続する（有線接続）構成としてもよく、携帯電話５０に内蔵されるアンテナで電話回線を介して通信する構成としてもよい。
【００５０】
赤外線受信部８２で受信した情報は、情報処理装置８６に送られる。情報処理装置８６は、データベース８４に保管された画像情報を格納（保管）、読み出しを行うと共に画像Ｍの画像情報と追加画像Ｎの画像情報とを関連付け、画像Ｍの画像情報と追加画像Ｎの画像情報とを合成する画像処理や、画像書換装置８８への画像書換え処理などを指示するようになっている。
【００５１】
情報処理装置８６には、情報処理装置からの画像書込み指示に応じて電子ペーパー１０に表示する画像を書き込む画像書換装置８８が接続されている。また、画像書換装置８８では、電子ペーパー１０に表示されている画像を一括消去する機能も備える。
【００５２】
次に、第１実施形態の作用について説明する。
図６に示されるように、画像Ｍが表示された電子ペーパー１０の画像を追加したい位置に携帯電話５０の光学センサ５２を向けてその位置における符号パターンを光学的に読み取る（図６では領域Ｂ）。具体的には、光源５８から電子ペーパー１０の表面基板１２に赤外線が照射され、表面基板１２の表面が撮像部６０で撮像される。このとき、赤外線を吸収するリブ２２の設置領域Ａ１と非設置領域Ａ２とで反射光の強度が異なるため、良好な読み取り精度が得られる。そしてリブ２２による符号パターンが撮像される。撮像された符号パターンは、マイクロプロセッサ５７で復号される。この符号パターンは、領域Ｂにおいて、各リブ２２間の距離の平均から仮想的な格子Ｋを算出し、格子で４分割された領域のいずれにリブ２２の中心軸２２Ａが配置されるかに基づいて復号される。
【００５３】
マイクロプロセッサ５７によって復号された個体識別情報、及び位置情報はメモリ６２に記憶されると共に、携帯電話５０のキーボード５６で入力された追加画像Ｎ（文字「ＡＢＣ」）の画像情報がマイクロプロセッサ５７によって関連付けられる。そして、個体識別情報、位置情報、及び追加画像Ｎの画像情報は、サーバー８０へ送信される。
【００５４】
個体識別情報、位置情報、及び文字情報を受信したサーバー８０によって、個体識別情報に関連付けられた追加画像Ｎの位置情報に基づき画像Ｍの画像情報と追加画像Ｎの画像情報とが合成される。
【００５５】
そして、データベース８４に保管された合成画像Ｌ（画像Ｍに追加画像Ｎを合成した画像）の画像情報を電子ペーパー１０へ書き込む指示が情報処理装置８６に与えられると、情報処理装置８６は、データベース８４から該当する画像情報、位置情報、追加画像情報を読み出し、画像書換装置８８に送信される。
【００５６】
画像書換装置８８は、受信した合成画像Ｌの画像情報に基づいて、電子ペーパー１０への電界の印加を制御して、合成画像Ｌを表示層１６に表示させる。このようにすることで、ユーザーは、電子ペーパー１０に表示されている画像Ｍの所望の位置に追加画像Ｎを合成し、合成画像Ｌを表示させる（図７参照）。
【００５７】
また、電子ペーパー１０は、表面基板１２と背面基板１４との間に表示層１６層を配置するために両者間に隙間を形成する複数のリブ２２で多数の符号パターンを形成しているため、良好な視認性を得られる。
【００５８】
なお、本実施形態の携帯電話５０のメモリ６２に記憶された追加画像Ｎをサーバー８０に送信して、送信された追加画像Ｎに関連付けられた画像情報（合成画像Ｌの画像情報）を読み出して電子ペーパー１０を書き換えたり、携帯電話５０に合成画像Ｌの画像情報（又は合成画像Ｌの画像識別情報）を送信してディスプレイ５４に画像を表示させたりしてもよい。
【００５９】
上述の実施形態では、赤外線を照射する構成としたが、本発明はこの構成に限定される必要はなく、紫外線を照射する構成としてもよい。この場合には、リブ２２の紫外線吸収率を表示層１６の紫外線吸収率よりも高くし、赤外線反射層２４を紫外線反射層とする必要がある。
【００６０】
また、上述の実施形態では、光学センサ５２を用いて電子ペーパー１０の赤外線の反射光の強度差でリブ２２の配置を特定する構成としたが、本発明はこの構成に限定される必要はなく、赤外線反射層２４を電子ペーパー１０に設けずに赤外線の透過光の強度差でリブ２２の配置を特定する構成としてもよい。
【００６１】
さらに上述の実施形態では、リブ２２の形状を四角柱状とする構成としたが、本発明はこの構成に限定されず、例えば、三角柱、五角柱、六角柱などの多角柱を用いてもよく、隣接するリブ２２同士を連結する連結リブ２３を設ける構成（図３参照）としてもよく、リブ２２を十字状とする構成（図４参照）としてもよい。
【００６２】
また、上述の実施形態では、キーボード５６で文字を入力して文字情報を作成し、電子ペーパー１０の書き換えの際に所望の位置に作成した文字情報を反映する構成としているが、本発明はこの構成に限定される必要はなく、電子ペーパー１０に追加する画像情報は、例えば、インターネット上で収集した画像情報でもよく、携帯電話に５０設けられたＣＣＤカメラで撮影した画像情報でもよい。
【００６３】
さらに、上述の実施形態では、携帯電話５０に内蔵された光学センサ５２を用いて電子ペーパー１０の符号パターンを光学的に読み取る構成としたが、本発明はこの構成に限定される必要はなく、光学センサ５２を例えば、ペン状の装置の先端側に設けてもよいものとする。
【００６４】
そして、上述の実施形態では、電界の印加によって画像を表示する表示層１６を用いる構成としたが、本発明はこの構成に限定される必要はなく、表示層１６を磁界の印加により動作する着色粒子を有する電磁誘導層で形成して、磁界の印加によって電子ペーパーに画像を表示させる構成としてもよい。
【００６５】
以上、実施形態を挙げて本発明の実施の形態を説明したが、これらの実施形態は一例であり、要旨を逸脱しない範囲内で種々変更して実施してよい。また、本発明の権利範囲がこれらの実施形態に限定されないことは言うまでもない。
【図面の簡単な説明】
【００６６】
【図１】本発明の第１実施形態の表示装置の断面図である。
【図２】本発明の第１実施形態の表示装置のリブの配置を説明するための正面図である。
【図３】本発明の第１実施形態の表示装置のリブの第１変形例を示す正面図である。
【図４】本発明の第１実施形態の表示装置のリブの第２変形例を示す正面図である。
【図５】本発明の第１実施形態の表示装置のリブと格子との関係を示す説明図である。
【図６】本発明の第１実施形態の情報処理システムの動作を説明するための説明図である。
【図７】本発明の第１実施形態の情報処理システムによって画像が追加された表示装置の状態を説明するための説明図である。
【符号の説明】
【００６７】
１０      電子ペーパー（表示装置）
１２      表面基板
１４      背面基板
１６      表示層
１８      第１電極膜
２０      第２電極膜
２２      リブ
２４      赤外線反射層
５２      光学センサ（情報取得手段）
５６      キーボード（画像生成手段）
５７      マイクロプロセッサ
８４      データベース（保管手段）
８６      情報処理装置（情報処理手段）
８８      画像書換装置（画像書換手段）
Ａ１      設置領域（符号パターン）
Ａ２      非設置領域（符号パターン以外の部分）
Ｂ        領域（画像を追加する領域）
Ｍ        画像（表示装置に表示されている画像）
Ｎ        追加画像
Ｌ        合成画像
【図１】
2010102079.tif 000003
【図２】
2010102079.tif 000004
【図３】
2010102079.tif 000005
【図４】
2010102079.tif 000006
【図５】
2010102079.tif 000007
【図６】
2010102079.tif 000008
【図７】
2010102079.tif 000009